(57)【特許請求の範囲】
【請求項１】
上方に引き上げ付勢したワイヤーと、
ワイヤーの下端に連設され、ワイヤーを介して常時後上方に引張り付勢された係合ピンと、
土中のアンカーを介して地上面に配設した結合リンクと、
係合ピンが後上方に引張り付勢されることにより、外周フレームが結合リンクの環前面側と結合リンクの仮想直径位置に配設された係合ピンの後面側との間に挟持される外周フレーム付きの踏み板と、
踏み板の外周を囲繞する状態に地上面に載置し、ワイヤーの弛緩とともに一端が上方に引き上げ付勢されるように構成したトラップワイヤーと、
より構成し、
しかも、係合ピンは上部が結合リンクの環前面側に当接し、下端が結合リンクの縦内径の内方に位置するように構成したことを特徴とする野生動物類の捕獲用道具。
【請求項２】
ワイヤーの上方付勢は、近隣に植生した木立に縦方向に一部を固定したコイルスプリングにより行うことを特徴とする請求項１に記載の野生動物類の捕獲用道具。
【請求項３】
外周フレーム付きの踏み板は、載置するけもの道の方向に長径が沿った楕円形状の金属網体または金属板としたことを特徴とする請求項１または請求項２に記載の野生動物類の捕獲用道具。
【請求項４】
踏み板の外周フレームが当接する係合ピンの後面側は凹状に切欠し、該凹状切欠部に係合当接した踏み板の外周フレームは該凹状切欠部を揺動支点として前後左右に揺動自在となるように構成したことを特徴とする請求項１乃至請求項３のいづれかに記載の野生動物類の捕獲用道具。
【請求項５】
外周フレーム付きの踏み板の下面には踏み板の降下に伴い地表面に埋没する脚体を複数個垂設し、地上面に載置した場合に踏み板が一定の高さに定置されるようにことを特徴とする請求項１乃至請求項４のいづれかに記載の野生動物類の捕獲用道具。
【発明の詳細な説明】
【技術分野】
【０００１】
この発明は、野生の猪や鹿等の野生動物類を捕獲するための道具に関する。
【背景技術】
【０００２】
従来、猪や鹿等の野生動物類を捕獲するための道具としては、一般的に落とし穴式の捕獲道具が普及している。
【０００３】
これは野生動物が通るいわゆるけもの道に落とし穴を作り、その上方にけもの道表面と同じ高さで落としぶたを被せて置き、その落としぶたを踏むことにより野生動物が落とし穴に落下するように構成して野生動物の捕獲をするものであった。
【０００４】
またこれ以外にも野生動物がけもの道を通る際に接触するような起動片をけもの道に設置しておき、起動片の作動によりトラップが作動して野生動物の足や体を捕縛し、或いは捕獲用の檻中に閉じ込めるように構成したものがある（例えば特許文献１〜４）。
【先行技術文献】
【特許文献】
【０００５】
【特許文献１】特許第5249154号公報
【特許文献２】特許第4871148号公報
【特許文献３】特許第4145708号公報
【特許文献４】特許第2949403号公報
【発明の概要】
【発明が解決しようとする課題】
【０００６】
しかし、これらの野生の猪や鹿等の野生動物類を捕獲するための道具は、設置に多大の労力を要し、特に人間が設置作業において手で設置操作をする部分が多いため人間の臭いが道具に移り動物に人間や捕獲道具の危険な存在を悟られてしまい捕獲効率が低下する問題があり、また道具の構造が複雑で大掛かりになりコストの面でも不利となり、更には構造の仕組みが複雑なため確実にトラップとしての機能を発揮できずに仕組みの一部が作動するにもかかわらず野生動物の捕獲機構が十分に機能しない等の欠点があった。
【０００７】
この発明は、地面に落とし穴を掘らない構造の踏み板を利用し簡単でかつ確実に野生動物の捕獲を行える野生動物類の捕獲用道具を提供するものである。
【課題を解決するための手段】
【０００８】
請求項１の発明は、上方に引き上げ付勢したワイヤーと、ワイヤーの下端に連設され、ワイヤーを介して常時後上方に引張り付勢された係合ピンと、土中のアンカーを介して地上面に配設した結合リンクと、係合ピンが後上方に引張り付勢されることにより、外周フレームが結合リンクの環前面側と結合リンクの仮想直径位置に配設された係合ピンの後面側との間に挟持される外周フレーム付きの踏み板と、踏み板の外周を囲繞する状態に地上面に載置し、ワイヤーの弛緩とともに一端が上方に引き上げ付勢されるように構成したトラップワイヤーとより構成し、しかも、係合ピンは上部が結合リンクの環前面側に当接し、下端が結合リンクの縦内径の内方に位置するように構成したことを特徴とする野生動物類の捕獲用道具を提供する。
【０００９】
請求項２の発明は、ワイヤーの上方付勢は、近隣に植生した木立に縦方向に一部を固定したコイルスプリングにより行うことに特徴を有する。
【００１０】
請求項３の発明は、外周フレーム付きの踏み板は、載置するけもの道の方向に長径が沿った楕円形状の金属網体または金属板としたことに特徴を有する。
【００１１】
請求項４の発明は、踏み板の外周フレームが当接する係合ピンの後面側は凹状に切欠し、該凹状切欠部に係合当接した踏み板の外周フレームは該凹状切欠部を揺動支点として前後左右に揺動自在となるように構成したことに特徴を有する。
【００１２】
請求項５の発明は、外周フレーム付きの踏み板の下面には踏み板の降下に伴い地表面に埋没する脚体を複数個垂設し、地上面に載置した場合に踏み板が一定の高さに定置されるようにことに特徴を有する。
【発明の効果】
【００１３】
請求項１に記載の発明によれば、上方に引き上げ付勢したワイヤーと、ワイヤーの下端に連設され、ワイヤーを介して常時後上方に引張り付勢された係合ピンと、土中のアンカーを介して地上面に配設した結合リンクと、係合ピンが後上方に引張り付勢されることにより、外周フレームが結合リンクの環前面側と結合リンクの仮想直径位置に配設された係合ピンの後面側との間に挟持される外周フレーム付きの踏み板と、踏み板の外周を囲繞する状態に地上面に載置し、ワイヤーの弛緩とともに一端が上方に引き上げ付勢されるように構成したトラップワイヤーとより構成し、しかも、係合ピンは上部が結合リンクの環前面側に当接し、下端が結合リンクの縦内径の内方に位置するように構成したことにより、踏み板を野生動物が踏むと外周フレームを有した踏み板が下方に降下し、結合リンクと係合ピンとの間に挟持されているため踏み板の外周フレームは係合ピンの下端から外れ係合ピンがフリー状態となりワイヤーの上方付勢により上方に引き上げられてしまう。
【００１４】
そうすると今まで緊張していたワイヤーは弛緩してトラップワイヤーは一端が上方に引き上げ付勢されることになり踏み板を踏んだ動物の足或いは胴体等に絡み野生動物を捕獲することができるため、地面に穴を掘ることなく踏み板を利用してトラップワイヤーにより容易に野生動物を捕獲することができる効果がある。
【００１５】
しかも、踏み板をけもの道に配置しその外周フレームを結合リンクと係合ピンとの間に挟持して仮止めするだけの作業のため人間が道具に接触する機会が可及的に少なくなり野生動物が警戒する人間の臭いを移す機会が減少してその分捕獲効率が向上する効果がある。
【００１６】
しかも、捕獲用道具の構造が、踏み板以外の構成がワイヤーなどの線体やピンやリングなどの小物で構成出来るために簡易で安価に製造することができると共に、捕獲機能部分が確実に機能しやすく捕獲効率を格段に向上することができる効果がある。
【００１７】
特に、踏み板はけもの道に仮装しておくことにより野生動物に視覚的、嗅覚的に悟られないようにすることができ、それ以外の道具の構成はワイヤーなどの線体やピンやリングなどの線条体主体で構成出来るためにより更に視覚的、嗅覚的に悟られる可能性も減少して捕獲効率を更に向上することができる効果がある。
【００１８】
請求項２に記載の発明によれば、ワイヤーの上方付勢は、近隣に植生した木立に縦方向に一部を固定したコイルスプリングにより行うことにより、特にコイルスプリングを支持するための部材を必要とすることなく、けもの道の近隣に通常存在する木立を利用することからコスト的にも有利であり、またワイヤーの上方付勢にコイルスプリングを使用するため簡易な構造でありながら確実に係合ピンやトラップワイヤーを上方に引き上げ付勢することができる効果がある。
【００１９】
請求項３に記載の発明によれば、外周フレーム付きの踏み板は、載置するけもの道の方向に長径が沿った楕円形状の金属網体または金属板としたことにより、野生動物がけもの道を通過するときに踏み板を踏む可能性を増やし、また金属製とすることにより作業する人間の臭いを可及的に付着残留しにくくして野生動物が危険を察知しにくくして捕獲効率を向上する効果がある。
【００２０】
請求項４に記載の発明によれば、踏み板の外周フレームが当接する係合ピンの後面側は凹状に切欠し、該凹状切欠部に係合当接した踏み板の外周フレームは該凹状切欠部を揺動支点として前後左右に揺動自在となるように構成したことにより、踏み板を地表面に設置するときに地表面が傾斜していても揺動支点を中心に揺動調整して地表面に沿うように設置することができるので野生動物に悟られないように踏み板をけもの道に仮装することができる効果がある。
【００２１】
請求項５に記載の発明によれば、外周フレーム付きの踏み板の下面には踏み板の降下に伴い地表面に埋没する脚体を複数個垂設し、地上面に載置した場合に踏み板が一定の高さに定置されるようにしたことにより、通常は外周フレームが一定の高さに保持されて結合リンクと係合ピンとの間で挟持された状態を維持し、一旦野生動物が踏み板を踏んだ場合には踏み板が脚柱を地表面に突き刺し埋没させながら降下してその外周フレームを係合ピンから離脱するように機能し、その後のトラップワイヤーの野生動物捕縛機能を適確に作用させる効果がある。
【図面の簡単な説明】
【００２２】
【図１】本発明の全体を示す説明図。
【図２】本発明の踏み板の構成を示した説明図。
【図３】本発明の結合リンクと係合ピンと踏み板との関係を示した側面図。
【図４】図３のＡ−Ａ線から平面視した平面図。
【図５】野生動物が踏み板に載った状態を示した説明図。
【図６】結合リンクから係合ピンが外れた状態を示した説明図。
【図７】トラップワイヤーの太いワイヤーが引張した状態を示した説明図。
【図８】トラップワイヤーで野生動物を捕縛した状態を示した説明図。
【図９】野生動物を捕獲した状態を示した全体説明図。
【発明を実施するための形態】
【００２３】
本発明の実施例を図面に基づき詳細に説明する。
図１は、本発明の全体を示す説明図を示しており、本発明の野生動物類の捕獲用道具１０は次のような構成からできている。
【００２４】
すなわち、図１に示すように、本発明は、上方に引き上げ付勢したワイヤー１１と、ワイヤー１１の下端に連設され、ワイヤー１１を介して常時後上方に引張り付勢された係合ピン１２と、土中のアンカーを介して地上面に配設した結合リンク１４と、係合ピン１２が後上方に引張り付勢されることにより、外周フレーム１５が結合リンク１４の環前面側と結合リンク１４の仮想直径位置に配設された係合ピン１２の後面側との間に挟持される外周フレーム１５付きの踏み板１６と、踏み板１６の外周を囲繞する状態に地上面に載置し、ワイヤー１１の弛緩とともに一端が上方に引き上げ付勢されるように構成したトラップワイヤー１７と、より構成されている。
【００２５】
図２は、本発明の踏み板１６の構成を示した説明図である。
図３は、結合リンク１４と係合ピンと踏み板との関係を示した側面図である。
図４は、図３のＡ−Ａ線から平面視した平面図である。
【００２６】
しかも、図２〜図４に示すように、係合ピン１２は上部が結合リンク１４の環前面側に当接し、下端が結合リンク１４の縦内径の内方に位置するように構成されているものであり、かかる構成が本発明の捕獲用道具１０を使用する際に重要な機能を果たすものである。
【００２７】
また、かかるワイヤー１１（例えば線径約０．３ｍｍ〜０．５ｍｍ）が上方付勢されるためには、図１に示すように、捕獲用道具１０を設置する箇所の近隣に植生した木立１８に縦方向に一部を固定したコイルスプリング１９を固定してワイヤー１１をコイルスプリング１９に連設することにより行う。
【００２８】
また、外周フレーム１５付きの踏み板１６は、載置するけもの道３０の方向に長径が沿った楕円形状の金属網体、金属板又は木製板（図示せず）、または、図２に示すように、所定間隔を有して複数並設した金属線体２０等により構成されている。
【００２９】
また、図３に示すように、結合リンク１４は土中に埋設した杭２４やアンカーと金属線２４ａ等で接続し、地表面に立設する。しかも、立設方向は、リンクの面がけもの道３０方向、すなわち、外周フレーム１５付きの踏み板１６方向に向くように配設する。
【００３０】
また、図３に示すように、踏み板１６の外周フレーム１５が当接する係合ピン１２の後面側は凹状に切欠し該凹状切欠部２１に係合当接した踏み板１６の外周フレーム１５は該凹状切欠部２１を揺動支点Ｓとして前後左右に揺動自在となるように構成している。
【００３１】
図３に示すように、凹状切欠部２１は上部傾斜部２１ａと下部傾斜部２１ｂからなる切欠形状としており、下部傾斜部２１ｂは上部傾斜部２１ａよりも勾配を少なくして長めに形成し、踏み板１６の外周フレーム１５が凹状切欠部２１の係合から離脱しやすくトラップワイヤー１７が敏感に機能するように構成している。
【００３２】
また、図２及び図３に示すように、外周フレーム１５付きの踏み板１６の下面には踏み板１６の降下に伴い地表面に埋没する脚体２２を複数個垂設し、地上面に載置した場合に踏み板１６が一定の高さに定置されるように構成している。
【００３３】
上記のように構成された野生動物類の捕獲用道具１０について更に具体的に説明する。
【００３４】
コイルスプリング１９を木立１８に固定するためには、図１に示すように、バンドを木立１８に巻き付けて固定し、係合ピン１２のワイヤー１１やトラップワイヤー１７の結束線又は連結ワイヤー２３（結束金具）を連結することにより係合ピン１２のワイヤー１１やトラップワイヤー１７を上方に付勢する。
【００３５】
外周フレーム１５付きの踏み板１６は、材質を金属や木材としており、これは可及的に作業する人間の臭いが付着しないようにするためであり動物に不要の警戒心を抱かせないようにしている。具体的には、金属線体で網状（金属網）又は一定間隔の横線状に編成したものや、金属板、又は木製板等で構成しており、その外周は網状に編んだ金属線体又は所定間隔を有して複数並設した金属線体よりは太い径の金属線体等で構成して外周フレーム１５を形成している。
【００３６】
図１に示すように、形状はけもの道３０の方向に長径が沿った楕円形状とし、動物の足が触れやすい形状としている。
【００３７】
図２に示すように、かかる外周フレーム１５付きの踏み板１６の下面には踏み板１６の降下に伴い地表面に埋没する脚体２２を、複数個垂設し、地上面に載置した場合に踏み板１６が一定の高さに定置されるように構成している。すなわち、網状に編んだ金属線体の外側自由端部を伸延して外周フレーム１５と溶接し約90度下方に折曲して脚体２２を構成しており、踏み板１６に動物が載った場合にその重量で踏み板１６が降下して容易に地表面に突き刺さるように構成している（図６に示す）。
なお、本実施形態では、踏み板１６の下面に脚体２２を複数設けているが、脚体２２無しの踏み板１６で構成することも可能である。この場合、踏み板１６の係合ピン１２配置側端部を所定高さで浮かし、その反対側端部を地表面に接地させた状態で構成することも可能である。
【００３８】
かかる外周フレーム１５付きの踏み板１６は、けもの道３０に沿ってその上方に配置される。
【００３９】
その際に、踏み板１６の外周を囲繞する状態にトラップワイヤー１７を地上面に載置しておく。
【００４０】
トラップワイヤー１７は、図１に示すように、踏み板１６の金属線体よりは太めのワイヤー２５（例えば線径約４ｍｍ〜５ｍｍ）より構成されており、地上面において環状に踏み板１６の外周に配置されるものであり、一端は通し孔２６を有する係合片２７に連設し、他端は係合片２７の通し孔２６に挿通して木立１８等に固定し、通し孔２６を挿通した他端のトラップワイヤー１７の中途部は、コイルスプリング１９に連設したワイヤー１１の中途部と結束線又は連結ワイヤー２３を介して連結している。すなわち、コイルスプリング１９の付勢によりワイヤー１１を引張ることにより結束線又は連結ワイヤー２３を介して絞り自在となる環形状としている。
【００４１】
係合ピン１２は、図３に示すように、後面側を凹状に切欠し、該凹状切欠部２１に踏み板１６の外周フレーム１５の横側端を係合当接し該凹状切欠部２１を揺動支点Ｓとして踏み板１６が全体として前後左右に揺動自在となるように構成している。
【００４２】
かかる構成とすることにより、けもの道３０が平坦ではなく前後左右に傾斜していてもけもの道３０の傾斜に沿ってけもの道３０表面に略平行に踏み板１６を設置することができ、野生動物Ｙに踏み板１６の異常を感知させないようにしている。
【００４３】
結合リンク１４と踏み板１６の外周フレーム１５との連結は次のようにして構成される。
【００４４】
すなわち、図３に示すように、係合ピン１２は上部が結合リンク１４の環前面側に当接し、下端が結合リンク１４の縦内径の内方に位置するような長さに構成されており、踏み板１６の外周フレーム１５と結合リンク１４との連結に際しては、外周フレーム１５外周側面を結合リンク１４の環状部分前面に当接し、外周フレーム１５の内周側面を結合リンク１４の縦内径の内方に位置した係合ピン１２の背面に当接させることにより、踏み板１６の外周フレーム１５を結合リンク１４と係合ピン１２との間に挟持状態としている。この場合に係合ピン１２は上記したようにコイルスプリング１９にワイヤー１１を介して背面側から引張り付勢されているので係合ピン１２が結合リンク１４との間に外周フレーム１５を挟んで保持した状態となっている。
【００４５】
次に、本実施例の野生動物類の捕獲用道具１０による野生動物Ｙの捕獲作用について説明する。
【００４６】
図５は、野生動物が踏み板に載った状態を示した説明図である。
図６は、結合リンクから係合ピンが外れた状態を示した説明図である。
図７は、トラップワイヤーのローブが引張した状態を示した説明図である。
図８は、トラップワイヤーで野生動物を捕縛した状態を示した説明図である。
図９は、野生動物を捕獲した状態を示した全体説明図である。
【００４７】
まず、図１に示すように、最初に近隣の木立１８にコイルスプリング１９をバンドなどを利用して固定する。
【００４８】
図１に示すように、けもの道３０の上には外周フレーム１５付きの踏み板１６を載置すると共に、その隣接位置の地表面にアンカーを介して結合リンク１４を立設する。
【００４９】
また、図１に示すように、コイルスプリング１９にはワイヤー１１を介して係合ピン１２が連設されており、係合ピン１２は常時後上方に引張り付勢されている。
【００５０】
図３に示すように、係合ピン１２は予め上部が結合リンク１４の環前面側に当接し、下端が結合リンク１４の縦内径の内方に位置するように配設し、同時に踏み板１６の外周フレーム１５を結合リンク１４の環前面側と結合リンク１４の仮想直径位置に配した係合ピン１２の後面側との間に挟持する。
【００５１】
係合ピン１２はコイルスプリング１９により後方にひっぱり付勢されているので結合リンク１４の環部分との間に踏み板１６の外周フレーム１５を挟持固定することを可能としている。
【００５２】
このように、踏み板１６の外周フレーム１５を結合リンク１４と連結した後には、図１に示すように、コイルスプリング１９にワイヤー１１及び結束線又は連結ワイヤー２３を介して連結したトラップワイヤー１７で地表面に載置された踏み板１６の外周を囲繞する。かかるトラップワイヤー１７の中途部は金具２３を介してワイヤー１１の中途部に連結されており、結合リンク１４や係合ピン１２などの作動により最終的にはコイルスプリング１９の復元応力により野生動物Ｙの足等を捕縛するように機能する。
【００５３】
かかる状態において、図５に示すように、踏み板１６を野生動物Ｙが踏むと浮き上がって配置された踏み板１６が下方に降下し、図６に示すように、結合リンク１４と係合ピン１２との間に挟持された外周フレーム１５は係合ピン１２の下端から下方に外れ係合ピン１２がフリー状態となってワイヤー１１の上方付勢により引き上げられる。
【００５４】
そうすると今まで伸長していたコイルスプリング１９は短縮復元しその復元応力によりワイヤー１１を介して結束線又は連結ワイヤー２３を引張り、トラップワイヤー１７の他端、すなわち、近隣木立１８に連結したトラップワイヤー１７の中途部が結束線又は連結ワイヤー２３を介して上方に引き上げられて絞り作動をすることにより踏み板１６を踏んだ野生動物Ｙの足或いは胴体等を捕縛し野生動物Ｙを捕獲する（図８及び図９に示す）。
【００５５】
このように、トラップワイヤー１７は結束線又は連結ワイヤー２３及びワイヤー１１を介してコイルスプリング１９に連結されているので、踏み板１６を野生動物Ｙが踏むと係合ピン１２が結合リンク１４から離反し係合ピン１２に連設したワイヤー１１が弛緩し、今まで伸長したコイルスプリング１９は元に戻ろうとし、その戻り応力によりトラップワイヤー１７の一端は結束線又は連結ワイヤー２３を介して上方に引張られて環状のトラップワイヤー１７は絞り方向に機能して野生動物類の足や胴体を確実に捕縛するものである。
【符号の説明】
【００５６】
１０  捕獲用道具
１１  ワイヤー
１２  係合ピン
１４  結合リンク
１５  外周フレーム
１６  踏み板
１７  トラップワイヤー
１８  木立
１９  コイルスプリング
２０  金属網体（金属板、木製板）
２１  凹状切欠部
２１ａ  上部傾斜部
２１ｂ  下部傾斜部
２２  脚体
２３  結束線又は連結ワイヤー
２４  杭
２５  太めのワイヤー
２６  通し孔
２７  係合片
３０  けもの道
Ｓ  揺動支点
Ｙ  野生動物
【要約】
【課題】簡単でかつ確実に野生動物の捕獲を行える野生動物類の捕獲用道具を提供する。
【解決手段】
上方に引き上げ付勢したワイヤー１１と、ワイヤー１１の下端に連設され、ワイヤー１１を介して常時後上方に引張り付勢された係合ピン１２と、土中のアンカーを介して地上面に配設した結合リンク１４と、係合ピン１２が後上方に引張り付勢されることにより、外周フレーム１５が結合リンク１４の環前面側と結合リンク１４の仮想直径位置に配設された係合ピン１２の後面側との間に挟持される外周フレーム１５付きの踏み板１６と、踏み板１６の外周を囲繞する状態に地上面に載置し、ワイヤー１１の弛緩とともに一端が上方に引き上げ付勢されるように構成したトラップワイヤー１７と、より構成し、しかも、係合ピン１２は上部が結合リンク１４の環前面側に当接し、下端が結合リンク１４の縦内径の内方に位置するように構成したことを特徴とする野生動物類の捕獲用道具１０である。
【選択図】図１【図１】
0005421497.tif 000002
【図２】
0005421497.tif 000003
【図３】
0005421497.tif 000004
【図４】
0005421497.tif 000005
【図５】
0005421497.tif 000006
【図６】
0005421497.tif 000007
【図７】
0005421497.tif 000008
【図８】
0005421497.tif 000009
【図９】
0005421497.tif 000010